(57)【要約】      （修正有）【課題】位置通知を構成し、緊急時にはＳＯＳを伝送して定位追跡作用を達成し、即時救援の目的を達成する緊急救難及び追跡装置を提供する。【解決手段】緊急救難及び追跡装置は、主に信号伝送メイン機器１及び信号発生機器２を含む。そのうち、該信号伝送メイン機器１は信号伝送回路及び警告回路を設置し、該信号発生機器２はタッチユニット２１を設置し、該信号発生機器置２を使用者の手腕、頸部もしくは下着等に装着する。常態下に於いて、タッチユニット２１は押圧されていて、信号伝送メイン機器１はＧＰＳ方式でサーバーメイン機器３へ伝送し、位置を構成して知らせている。緊急時にはタッチユニット２１の緊急動作することで、ＳＯＳを信号伝送メイン機器へ伝送し、更にＧＰＳ方式でサーバーメイン機器３へ伝送する。 【選択図】図１
0003176346.tif 000002
【実用新案登録請求の範囲】
【請求項１】
タッチ信号を発する信号発生機器及び該タッチ信号を受信する信号伝送メイン機器を含む緊急救難及び追跡装置において、そのうち、
該信号伝送メイン機器は、信号伝送回路を設置し、該信号発生機器はタッチユニットを設置し、該タッチユニットはプッシュスイッチもしくはプルスイッチとし、該信号発生機器は、使用者の手腕、頸部もしくは下着等に装着し、常態下に於いてタッチユニットを押圧しておき、信号伝送メイン機器はサーバーメイン機器へ伝送し，位置を構成して知らせ，また緊急時にはタッチユニットの緊急動作によって、ＳＯＳを信号伝送メイン機器へ伝送し、次にサーバーメイン機器へ伝送し、定位追跡作用を達成することを特徴とする緊急救難及び追跡装置。
【請求項２】
前記信号伝送メイン機器は、警告回路を含み、信号発生機器の信号を受信すると、警報音を発し、威嚇作用を構成することを特徴とする請求項１記載の緊急救難及び追跡装置。
【請求項３】
前記信号伝送メイン機器とサーバーメイン機器の伝送は、GPSとすることを特徴とする請求項１記載の緊急救難及び追跡装置。
【考案の詳細な説明】
【技術分野】
【０００１】
本考案は、緊急救難及び追跡装置に関するもので、特に緊急時に位置を構成して知らせ、且つ緊急時にはＳＯＳを伝送して定位追跡作用を達成し、それらに拠って即時に救援の目的を達成する緊急救難及び追跡装置に係わる。
【背景技術】
【０００２】
社会形態が変化し、人口密度が高まったことで、強盗、強姦及び誘拐事件が頻発している。現代では殆どの人が携帯電話を連絡ツールとして使い、女性もしくは子供の随時行動を追跡している。
【先行技術文献】
【特許文献】
【０００３】
【特許文献１】特開２００５−３０１４６１号公報
【考案の概要】
【考案が解決しようとする課題】
【０００４】
解決しようとする問題点は、携帯電話では、連絡として使用できるだけで、正確な所在地まで知ることができないため、緊急時の初動期間に救難信号を発することができず、遠距離で現場の状況を把握する場合、救難の遅れが命取りになることもある点である。
【０００５】
出願者は長年、当領域業務に従事した経験から、不断の研究、実験を重ね、遂に緊急救難及び追跡装置を発案した。そして緊急時に救難信号を送ると、定位追跡作用を達成し、即時に救命することができる装置を提案することを課題とする。
【課題を解決するための手段】
【０００６】
本考案は、主に信号伝送メイン機器及び信号発生機器を含む。そのうち、該信号伝送メイン機器は信号伝送回路及び警告回路を設置し、該信号発生機器はタッチユニットを設置し、該信号発生機器置を使用者の手腕、頸部もしくは下着等に装着する。常態下に於いて、タッチユニットは押圧されていて、信号伝送メイン機器はGPS方式でサーバーメイン機器へ伝送し，位置を構成して知らせている。緊急時にはタッチユニットの緊急動作することで、ＳＯＳを信号伝送メイン機器へ伝送し，更にGPS方式でサーバーメイン機器へ伝送することを最も主要な特徴とする。
【考案の効果】
【０００７】
本考案の緊急救難及び追跡装置は、位置通知を構成し、緊急時にはＳＯＳを伝送して定位追跡作用を達成し、即時救援の目的を達成するという利点がある。
【図面の簡単な説明】
【０００８】
【図１】本考案の立体図である。
【図２】本考案の使用実施例図である。
【図３】本考案の救難実施例図である。
【図４】本考案の別の使用実施例図である。
【考案を実施するための形態】
【０００９】
該装置が位置通知を構成し、緊急時にはＳＯＳを伝送して定位追跡作用を達成し、即時救援の目的を達成する緊急救難及び追跡装置を提供することを本考案の主な目的とする。
【００１０】
前述の緊急救難及び追跡装置は、信号伝送メイン機器及び信号発生機器を含む。そのうち、該信号伝送メイン機器は信号伝送回路を設置し、該信号発生機器は、タッチユニットを設置し、該信号発生機器を使用者の手腕、頸部もしくは下着等に装着する。常態下に於いて、タッチユニットは押圧されていて、信号伝送メイン機器からGPS方式でサーバーメイン機器へ伝送し，位置を構成して知らせている。緊急時にはタッチユニットの緊急動作によって、ＳＯＳを信号伝送メイン機器へ伝送し、更にGPS方式でサーバーメイン機器へ伝送し、定位追跡作用を達成して即時救援の目的を達成する。
【００１１】
前述の緊急救難及び追跡装置に於いて、そのうちの該信号伝送メイン機器は警告回路を含み、信号発生機器の信号を受信すると、警報音を発して不審者への威嚇作用を構成する。 
【実施例】
【００１２】
図１は、本考案の立体図である。図に示すとおり、本考案は信号伝送メイン機器１及び信号発生機器２を含む。そのうち、該信号伝送メイン機器１は、信号伝送回路及び警告回路を設置し、本実施例に於いて、該信号伝送回路はGPSとし、該警告回路は信号伝送メイン機器１から露出した発声部１１に連接する。
【００１３】
該信号発生機器２は、タッチユニット２１を設置し、該タッチユニット２１はプッシュスイッチもしくはプルスイッチとする。
【００１４】
前述の部品によって、該信号発生機器２は、使用者の手腕、頸部もしくは下着（インナーシャツ、インナーパンツ）等に設置する。常態下に於いて、タッチユニット２１を押し、信号伝送メイン機器１はGPS方式でサーバーメイン機器へ伝送し，位置を構成して知らせる。また緊急時にはタッチユニット２１の緊急動作によってＳＯＳを信号伝送メイン機器１へ伝送し、次にGPS方式でサーバーメイン機器３へ伝送し、定位追跡の作用を達成して即時救援の目的を達成する。更に該信号伝送メイン機器１は、信号発生機器２の信号を受信すると、発声部１１から警報音を発して不審者を威嚇する。
【００１５】
図２及び図３は、本考案の使用実施例図及び救難実施例図である。図に示すとおり、本考案は、信号伝送メイン機器１を使用者の身体の適する位置に設置し、信号発生機器２を特定位置に設置する。本実施例では、信号発生機器２を下着（インナーシャツ、インナーパンツ）に装着し、タッチユニット２１からコード２２を引き出し、コード２２別端を固定する。不審者に下着を引き破られると、コード２２が信号発生機器２のタッチユニット２１から切られて動作し、ＳＯＳを信号伝送メイン機器１へ伝送し、次にGPS方式でサーバーメイン機器３へ伝送し、サーバーメイン機器３によって使用者の緊急状況及び所在位置がわかり、定位追跡作用を達成し、即時救援の目的を達成する。
【００１６】
図４は本考案の別の一使用実施例図である。図に示すとおり、本考案は、信号発生機器２をブレスレットもしくはネックレスに設置する。常態下に於いて、タッチユニット２１は押されており、信号伝送メイン機器１はGPS方式でサーバーメイン機器３へ伝送され、位置を構成して知らせる。ひったくり、誘拐等の緊急状況に遭った時、使用者はタッチユニット２１を緊急動作することで、ＳＯＳを信号伝送メイン機器１へ伝送し、GPS方式でサーバーメイン機器３へ伝送し、定位追跡作用を達成し、即時救援の目的を達成する。更に該信号伝送メイン機器１が信号発生機器２の信号を受けると、発声部１１が警報音を発して不審者を威嚇する作用を形成する。
【００１７】
前述の実施例は、本考案の良好な実施方式を説明するためのもので、本考案の請求範囲を制限するものではない。拠って、本考案の修飾、変更等は本考案の要義を失わず、本考案の請求範囲に属するものとする。
【００１８】
上述のとおり、本考案は信号伝送メイン機器と身体に設置した信号発生機器を合わせて緊急救難及び追跡装置を構成する。該装置によって、位置の通知を構成し、且つ緊急時にはＳＯＳを伝送して定位追跡作用を達成し、更に即時救援の目的を達成する。実用的な設計で、新奇性を備えたものであるため、実用新案の請求を申請する。
【符号の説明】
【００１９】
１        信号伝送メイン機器
１１        発声部
２        信号発生機器
２１        タッチユニット
２２        コード
３        サーバーメイン機器
【図１】
0003176346.tif 000003
【図２】
0003176346.tif 000004
【図３】
0003176346.tif 000005
【図４】
0003176346.tif 000006